(57)【特許請求の範囲】
【請求項１】
スラブの上に床支持脚を介して複数離間し略平行に配置される根太材と、
上記根太材に対して略直交方向に敷設され、側面には長手方向に嵌合溝が形成された長尺状の床材と、
上記根太材に固定され、基板から立設した支持部の上部から左右に翼片が設けられ、これら翼片を上記床材の嵌合溝に嵌入して床材を固定する固定金具と、
上記床材の端部同士を、隣り合う上記根太材の中間部で接合する部材であって、断面十字状の交点部から横方向に突出し、上記接合される両床材にわたって各床材の嵌合溝に突入する一の横条部、この一の横条部と反対方向に突出し、上記隣り合う根太材の間に接合部位のない他の床材の嵌合溝に突入する他の横条部、上記交点部から上記両床材間の隙間を上方に向けて突出し上端部が両床材の表面より下に位置する上条部、及び上記交点部から上記両床材間の隙間を下方に向けて突出形成される下条部からなり、短尺かつ金属製の床材のジョイント具と、を有することを特徴とするデッキフロア構造。
【請求項２】
上記ジョイント具の上条部又は上記下条部に、断面が横方向に僅かに突出する凸条部を設けたことを特徴とする請求項１記載のデッキフロア構造。
【請求項３】
上記ジョイント具の一及び他の横条部に、断面が上記交点部から外方向の向きに対して切り立った係止条部を設けたことを特徴とする請求項１又は請求項２記載のデッキフロア構造。
【発明の詳細な説明】
【０００１】
【発明の属する技術分野】
本発明は、ジョイント具を用いたデッキフロア構造に関する。
【０００２】
【従来の技術】
従来例に係り、図５（ａ）は、住宅用或いは景観用のデッキに設置されるデッキフロアの施工状態を示したものである。このデッキフロアの施工に際しては、床スラブ２１に所定の間隔をおいて床支持脚２２を配置し、これら床支持脚２２間に、根太材２３を架け渡し、これら根太材２３の上に床材２４を敷設する。上記根太材２３は互いに平行に配置し、これらと直交する方向に床材２４を敷設する。
【０００３】
そして、床材２４の敷設の際、床材２４の端部２７が根太材２３同士の間に位置しているとき（図５（ａ））には、この部位の下に新たに床支持脚２５を配置し、これに新たに補強根太材２６を架設して、上記床材２４の端部２７を固定する方法がとられる（図５（ｂ））。あるいは、図５（ｃ）に示すように、手前の根太材２３の位置で、床材２４を切断し、この位置で床材２４の端部を固定する方法がとられている。
【０００４】
【発明が解決しようとする課題】
しかし、上記床材２４の端部が根太材２３同士の間に位置している場合、上述した補強根太材２６を設ける方法では、新たに床支持脚２５及び補強根太材２６が必要となるため、施工の材料が増えてコストアップにつながる。また、上述した手前の根太材２３の位置で床材２４を切断する方法では、切断された床材はほとんどが廃棄されるため資源が無駄となり、またコストアップにもつながるという問題がある。
【０００５】
本発明は、上記問題点に鑑みてなされたものであり、施工性がよく、効率的で経済性にも優れたデッキフロア構造を提供することを目的としている。
【０００６】
【課題を解決するための手段】
以上の技術的課題を解決するため、本発明に係るデッキフロア構造は、図２に示すように、スラブの上に床支持脚２２を介して複数離間し略平行に配置される根太材２３と、上記根太材に対して略直交方向に敷設され、側面には長手方向に嵌合溝１１が形成された長尺状の床材２４と、上記根太材に固定され、基板から立設した支持部の上部から左右に翼片が設けられ、これら翼片を上記床材の嵌合溝１１に嵌入して床材を固定する固定金具１２と、上記床材２４ｂ，２４ｄの端部同士を、隣り合う上記根太材２３の中間部で接合する部材であって、断面十字状の交点部から横方向に突出し、上記接合される両床材にわたって各床材の嵌合溝に突入する一の横条部３、この一の横条部と反対方向に突出し、上記隣り合う根太材の間に接合部位のない他の床材２４ａ（２４ｃ）の嵌合溝１１に突入する他の横条部４、上記交点部から上記両床材間の隙間を上方に向けて突出し上端部が両床材の表面より下に位置する上条部５、及び上記交点部から上記両床材間の隙間を下方に向けて突出形成される下条部６からなり、短尺かつ金属製の床材のジョイント具１と、を有する構成である。
【０００７】
また、本発明に係るデッキフロア構造は、上記ジョイント具の上条部５又は上記下条部６に、断面が横方向に僅かに突出する凸条部７を設けた構成である。
【０００８】
また、本発明に係るデッキフロア構造は、上記ジョイント具の上記一及び他の横条部３，４に、断面が上記交点部２から外方向の向きに対して切り立った係止条部８を設けた構成である。
【０００９】
【発明の実施の形態】
以下、本発明に係るデッキフロア構造の実施の形態を、図面に基づいて説明する。図１は、上記デッキフロア構造に使用されるジョイント具１を示したものである。このジョイント具１はデッキフロアの施工において、床材同士の接合部材として用いられる。ジョイント具１の材料はアルミニウム等の金属、或いは合成樹脂等が用いられる。
【００１０】
上記ジョイント具１は、所定の長さを有し断面が略十字架状で、左右対象の形状を有する。ジョイント具１の十字の交点部２から横方向には一の横条部３が、この一の横条部３と反対方向には二の横条部４がそれぞれ突出形成されている。
【００１１】
また、十字の交点部２から上方向には上条部５が突出形成され、下方向には下条部６が突出形成されている。さらに、上条部５の上部、及び下条部６の上部近傍と中央部には、それぞれ断面が左右横方向に僅かに突出する凸条部７が設けられている。また、一及び他の横条部３，４の上下両面には、断面が上記交点部２から外方向の向きに対して切り立った係止条部８が設けられている。このジョイント具１の長さは、床に加わる荷重等を考慮して適切なサイズに決められる。
【００１２】
図２は、上記ジョイント具１を用いた床の施工状態を示すものである。ここで用いられる床材２４は長尺状の板材であり、長手側面の中央部には長手方向に嵌合溝１１が形成されている。床スラブ２１の上には所定の間隔をおいて床支持脚２２が立設され、これら床支持脚２２間に根太材２３を架設し、この根太材２３の上に上記床材２４を敷設する。根太材２３は、断面ハット形状の鋼材からなり、床支持脚２２の上面と根太材２３との間に弾性体１４を敷き、ビス等を用いてフランジの部位２３ａを止着し床支持脚２２に固定する。
【００１３】
各根太材２３は互いに平行に設置され、これと直交する方向に床材２４を敷設する。一の床材２４は複数の根太材２３間に渡って架け渡され、各床材２４同士間には所定間隔の隙間１３が設けられる。床材２４の端部が根太材２３間に位置する場合、例えば図２に示すように、隣り合う床材２４ａ，２４ｂ，２４ｃの内、中央の床材２４ｂの端部２７が根太材２３同士の中間に位置している場合に、上記ジョイント具１を用いた施工が行われる。
【００１４】
この場合、上記床材２４ｂを延長するための床材２４ｄを準備する。この床材２４ｄは、床材２４ｂを延長して近くの根太材２３まで届く長さ、あるいはそれ以上の長さを有するものが用いられる。
【００１５】
まず床材２４ａを根太材２３に固定する。床材２４ａの固定に際しては固定金具１２が用いられる。この固定金具１２は、基板から立設した支持部の上部から左右に翼片１２ａが設けられている。固定金具１２の基板をネジ等を用いて根太材２３に固定し、その翼片１２ａを床材２４ａの嵌合溝１１に嵌入して床材２４ａを固定する。
【００１６】
次に、床材２４ａにジョイント具１を取り付ける。このジョイント具１は、隣接する床材２４ｂと床材２４ｄとの接合部に該当する位置に、ジョイント具１の中央部が位置するよう取り付けられ、床材２４ａの嵌合溝１１にジョイント具１の他の横条部４を嵌入する。
【００１７】
続いて、床材２４ｂの嵌合溝１１を、床材２４ａを固定している固定金具１２の翼片１２ａ、及び上記ジョイント具１の一の横条部３の長手片半部分にそれぞれ嵌入する。そして、床材２４ｄの嵌合溝１１を、上記ジョイント具１の一の横条部３の残り部分、及び床材２４ａを固定している固定金具１２の翼片１２ａにそれぞれ嵌入する。床材２４ｂ及び床材２４ｄの他の側部についても、固定金具１２を用いてそれぞれ根太材２３に固定する。
【００１８】
さらに、別のジョイント具１を床材２４ｂと床材２４ｄの接合部位に取り付ける。そして、床材２４ｃを、床材２４ｂ及び床材２４ｄを固定している固定金具１２の翼片１２ａ及び上記ジョイント具１の一の横条部３に嵌入する。この床材２４ｃの他の側部についても固定金具１２を用いて固定し、床材２４ａ〜２４ｄの敷設を終える（図３）。
【００１９】
図４は、図３に示す床の断面図（ＡＡ’間）である。ジョイント具１の横条部３，４は床材２４の嵌合溝１１に嵌入され、また床材２４同士は所定間隔の隙間１３を有して固定されている。ここで、ジョイント具１の横条部３，４は、それぞれ係止条部８の作用により、床材２４の嵌合溝１１から脱着しないよう係止されている。また上条部５及び下条部６に設けられる凸条部７は、床材２４の側面に突入し、両床材２４間に作用する垂直なずれ方向の力を阻止している。
【００２０】
ジョイント具１の上条部５の上端部９は床材２４の表面から下方に位置し、床材２４表面の邪魔にならないよう配慮している。また、ジョイント具１の下条部６は、床材２４の裏面から下方に突出しており、この部位を操作して、ジョイント具１の位置を適宜に移動することができる。
【００２１】
従って上記実施の形態によれば、隣接する床材２４間にジョイント具１を取り付けるのみで、根太材２３間における床材２４同士の継ぎ目が接合され、その両側に隣接する他の床材２４が有する曲げ強度、及びジョイント具１自体が有する強度をもって床材２４の継ぎ目を補強し、接合部を強固に維持する。このように、簡単な構造のジョイント具１を用いることで容易に床材２４同士の接合が行えて施工性に優れ、しかも従来例に係る補強根太材が不要となり、また硬質で高価な床材を無駄に切断する必要もないから資源の有効活用につながり、加えて床材の長さを定尺でなく乱尺（一定の長さでないもの）でも使用することができことから、効率的でありコストの低減にもつながるという効果がある。
【００２２】
【発明の効果】
以上説明したように、本発明に係るデッキフロア構造によれば、根太材、床材、固定金具、及び、床材の端部同士を根太材の中間部で接合する部材であって、接合される両床材の嵌合溝に突入する一の横条部、接合部位のない他の床材の嵌合溝に突入する他の横条部、上端部が両床材の表面より下に位置する上条部、及び下条部からなる床材のジョイント具を有する構成を採用したから、取り付けが容易で施工性に優れ、また床材を根太材位置で切断することなく使用できて資源の有効活用が図れ、さらに床材の長さを定尺でなく乱尺でも使用することができ効率的かつ経済的であるという効果がある。
【００２３】
また、本発明に係るデッキフロア構造によれば、上条部又は下条部に、断面が横方向に僅かに突出する凸条部を設けた構成を採用したから、床材間に垂直方向に作用する力を有効に阻止する。
【００２４】
また、本発明に係るデッキフロア構造によれば、一及び他の横条部に、断面が交点部から外方向の向きに対して切り立った係止条部を設けた構成を採用したから、嵌合溝から容易に脱着しないという効果がある。
【図面の簡単な説明】
【図１】本発明の実施の形態に係るデッキフロアのジョイント具を示す図で、（ａ）は斜視図を、（ｂ）は側面図を示す。
【図２】本発明の実施の形態に係り、ジョイント具を用いた床の施工状態を示す図である。
【図３】実施の形態に係り、ジョイント具を用いた床の施工後の状態を示す図である。
【図４】実施の形態に係り、床の施工後の断面図（図３のＡＡ’間）である。
【図５】従来例に係る床の施工形態を示す図で、（ａ）は床材の先端部が根太材間に位置する状態を示す図、（ｂ）は補強根太材を用いた施工図、（ｃ）は床材を手前の根太材の位置で切断した施工図である。
【符号の説明】
１  ジョイント具
３  一の横条部
４  他の横条部
５  上条部
６  下条部
７  凸条部
８  係止条部
１２  固定金具
２２  床支持脚
２３  根太材
２４  床材
【図１】
0003546204.tif 000002
【図２】
0003546204.tif 000003
【図３】
0003546204.tif 000004
【図４】
0003546204.tif 000005
【図５】
0003546204.tif 000006